(57)【要約】【課題】  建物の長期使用を可能とする優れた可変性と、建設資材の高度の有効利用を可能とする優れた施工性とを有する有効な建物の構造を提供する。【解決手段】  スパン方向の架構として柱３に大梁４を剛接合したラーメン架構１を採用するとともに、桁行方向の架構として地震時の水平力を負担する耐震間柱５に大梁６を剛接合した耐震架構２を採用し、桁行方向の大梁を柱に対してピン接合する。スパン方向の大梁４を基部と主部とにより構成し、各基部を柱に対してブラケットとして溶接により剛接合し、基部間に主部をボルト締結により剛接合する。桁行方向の大梁６を一端部の基部と先端部の主部とにより構成し、基部を耐震間柱５に対してブラケットとして溶接により剛接合し、それに主部をボルト締結により剛接合し、その大梁６の先端を柱３に対してボルト締結によりピン接合する。【選択図】      図１
2006046023.tif 000002
【特許請求の範囲】
【請求項１】
鉄骨造の建物の構造であって、
スパン方向の架構として柱に大梁を剛接合したラーメン架構を採用するとともに、桁行方向の架構として地震時の水平力を負担する耐震間柱に大梁を剛接合した耐震架構を採用し、桁行方向の大梁を柱に対してピン接合したことを特徴とする建物の構造。
【請求項２】
請求項１記載の建物の構造であって、
ラーメン架構を構成しているスパン方向の大梁を両端部の基部とそれら基部の間に接合した主部とにより構成し、各基部の基端を柱に対してそれぞれ溶接により剛接合してそれらの先端に主部の両端をそれぞれボルト締結により剛接合し、
耐震架構を構成している桁行方向の大梁を一端部の基部とその先端に接合した主部とにより構成し、基部の基端を耐震間柱に対して溶接により剛接合してその先端に主部の基端をボルト締結により剛接合し、主部の先端を前記柱にボルト締結によりピン接合したことを特徴とする建物の構造。
【発明の詳細な説明】
【技術分野】
【０００１】
本発明は鉄骨造の建物の構造に関する。
【背景技術】
【０００２】
周知のように建物の構造としては鉄筋コンクリート造や鉄骨造、鉄骨鉄筋コンクリート造が一般的であるが、中規模程度の建物では施工性や工期の点で鉄骨造が有利な場合が多い。鉄骨造の建物の構造に関しては、たとえば特許文献１に、耐震性の向上、施工の簡便化、鉄骨部材の重量軽減を目的とする架構構造についての提案がある。
【特許文献１】特開平９−２０９４４８号公報
【発明の開示】
【発明が解決しようとする課題】
【０００３】
ところで、従来においては、建物は老朽化したり機能性が低下した場合には建て替えのために取り壊され、取り壊しにより解体された建設資材は鉄骨や鉄筋等がわずかにスクラップ材としてリサイクルされる程度で大半が産業廃棄物として廃棄処分されていた。しかし、近年においては環境負荷の低減が強く求められていることから、建物を可及的長期にわたって使用することが求められて安易に建て替えることは好ましくないとされ、また建物を解体した際には解体物をそのまま再使用（リユース）したり建設資源として高度に再利用することが求められている。
【０００４】
そのため、近年の建物には必要に応じて形態や規模を容易に変更して機能性を長く維持できるような優れた可変性を有するものであることが望まれ、また建物の施工や解体に際しても建設資材の高度の有効利用を可能する合理的な手法の採用が望まれている。
【０００５】
上記事情に鑑み、本発明は、建物の長期使用を可能とする優れた可変性と、建設資材の高度の有効利用を可能とする優れた施工性とを有する有効な建物の構造を提供することを目的とする。
【課題を解決するための手段】
【０００６】
請求項１の発明は鉄骨造の建物に適用する構造であって、スパン方向の架構として柱に大梁を剛接合したラーメン架構を採用するとともに、桁行方向の架構として地震時の水平力を負担する耐震間柱に大梁を剛接合した耐震架構を採用し、桁行方向の大梁を柱に対してピン接合するものである。
【０００７】
請求項２の発明は、請求項１の発明において、ラーメン架構を構成しているスパン方向の大梁を両端部の基部とそれら基部の間に接合した主部とにより構成し、各基部の基端を柱に対してそれぞれ溶接により剛接合してそれらの先端に主部の両端をそれぞれボルト締結により剛接合し、また、耐震架構を構成している桁行方向の大梁を一端部の基部とその先端に接合した主部とにより構成し、基部の基端を耐震間柱に対して溶接により剛接合してその先端に主部の基端をボルト締結により剛接合し、主部の先端を前記柱にボルト締結によりピン接合するものである。
【発明の効果】
【０００８】
請求項１の発明によれば、スパン方向のラーメン架構と桁行方向の耐震架構との組み合わせによる独立した１ブロックの架構を単位として、それを連続させることで建物全体の架構を構成することができる。そして、ブロック単位で架構の増減が可能であるので建物全体を容易に拡張したり縮小することが可能となり、それにより優れた可変性を有する建物を実現することができる。また、スパン方向は通常のラーメン架構であるが、桁行方向は耐震間柱による耐震架構を採用してその桁行方向の大梁を柱に対してピン接合するので、従来一般の単純な２方向ラーメン架構による場合に比べて柱梁仕口部の構造が簡略化され、したがってその組み立てや解体を容易に行うことができるし、解体した鉄骨材を有効に再利用することができ高度のリサイクルを実現することができる。
【０００９】
また、請求項２の発明によれば、上記効果に加え、大梁の基部をブラケットとして柱に溶接し、そのブラケットに対して大梁の主部をボルト締結することにより、溶接箇所数を最少限とできて特に施工性に優れるものとなり、しかも主部をブラケットから取り外すことで解体も容易に行うことができ、解体物をそのまま再使用することも可能である。
【発明を実施するための最良の形態】
【００１０】
本発明の構造を２階建ての鉄骨造建物に適用した場合の一実施形態を図１〜図３を参照して説明する。図１はその建物における架構の概要を示すもので、（ａ）は全体架構を示す概略構成図、（ｂ）はその１ブロックの架構を示す組立図である。
【００１１】
図１（ａ），（ｂ）に示すように、本実施形態の構造はスパン方向の架構としてラーメン架構１を採用し、桁行方向の架構として耐震架構２を採用している。スパン方向のラーメン架構１は柱３にスパン方向の大梁４を剛接合したものであり、桁行方向の耐震架構２は耐震間柱５に桁行方向の大梁６を剛接合したものである。そして、（ｂ）に示すように隣接している２つのラーメン架構１，１を２つの耐震架構２，２により連結するようにそれらを組み合わせて耐震架構２の大梁６の先端を柱３に対してピン接合することにより、独立した１ブロックの架構７が構成されており、（ａ）に示すようにその１ブロックの架構７を桁行方向に複数（図示例では６ブロック）連続させた形態でこの建物全体の架構が構成されている。
【００１２】
図２は本実施形態におけるスパン方向のラーメン架構１の一具体例を示すものである。図示例のラーメン架構１は通常の鉄骨造における通常のラーメン架構と同様のもので、Ｈ形鋼からなる柱３の間に同じくＨ形鋼からなる各階の大梁４が架設されて剛接合されたものである。大梁４は両端部の基部４ａと中間部の主部４ｂとにより構成されていて、各基部４ａがブラケットとして柱３に対して溶接により剛接合され、それらブラケットの間に主部４ｂが接合されているが、ブラケット（基部４ａ）に対する主部４ｂの接合はウェブおよび上下フランジの全てをスプライスプレート８を介して２面せん断接合による剛接合としてボルト締結することにより行われている。なお、図２に示すように本実施形態における柱３は柱脚が基礎９にアンカーボルト１０により定着されて立設されており、２階部分の柱断面は１階よりもやや縮小されたものとなっている。
【００１３】
図３は本実施形態における桁行方向の耐震架構２の一具体例を示すものである。図示例の耐震架構２は、Ｈ形鋼からなる耐震間柱５の両側に、同じくＨ形鋼からなる各階の桁行方向の大梁６の一端を剛接合したものである。耐震間柱５は上記柱３と同様に柱脚が基礎９にアンカーボルト１０により定着されて立設されており、地震時には桁行方向の水平力を負担し得る耐力を有するものである。大梁６は一端部の基部６ａと先端部の主部６ｂとにより構成されていて、基部６ａがブラケットとして耐震間柱５に対して溶接により剛接合され、そのブラケット（基部４ａ）に主部６ｂがスプライスプレート８を介して２面せん断接合による剛接合としてボルト締結されている。
【００１４】
そして、その耐震架構２における大梁６の先端は上記の柱３に対してボルト締結により接合されているのであるが、ここでは大梁６（主部６ｂ）のウェブのみをスチフナー１１を介して柱３に対してボルト締結することに留めており、そのような接合は構造的には相対回転が拘束されないので実質的にピン接合と見なされるものとなっている。
【００１５】
以上のように、本実施形態の構造ではラーメン架構１と耐震架構２とを組み合わせて全体の架構を構成していることから、スパン方向と桁行方向の耐力が支障なく確保されることは言うに及ばず、それらラーメン架構１と耐震架構２とによる独立した１ブロックの架構７を単位としてそれを連続させることで建物全体の架構を構成する形態であるので、ブロック単位での架構の増減が可能であり、したがって必要に応じて建物全体を桁行方向のみならずスパン方向にも容易に拡張することが可能であるし、あるいは逆に縮小することも可能であり、それにより優れた可変性を有して長期にわたって使用し得る建物を実現することができる。
【００１６】
また、桁行方向の大梁６を柱３に対して実質的にピン接合するので、全ての接合を剛接合により行うことが必要となる従来一般の単純な２方向ラーメン架構による場合に比べて柱梁仕口部の構造が簡略化され、したがって架構全体の組み立てや解体を容易に行うことができる。特に、大梁４，６の基部４ａ，６ａをそれぞれブラケットとして柱３，耐震間柱５に溶接し、それらのブラケットに対して大梁４，６の主部４ｂ、６ｂをボルト締結することにより溶接箇所数を最少限とできて施工性に優れるものとなり、しかも主部４ｂ、６ｂをブラケットから取り外すことで解体も容易に行うことができる。そのため、解体した柱３や耐震間柱５、大梁４，６の素材であるＨ形鋼をそのまま有効に再使用することができ、従来のようにそれらを単にスクラップとして再利用するに留まらず建設資材としての高度のリサイクルを実現することができる。
【００１７】
なお、本発明においては桁行方向の大梁６と柱３との接合を実質的にピン接合とすれば良く、その限りにおいてピン接合の具体的な形式は任意である。また、それ以外の接合箇所は実質的に剛接合とすれば良く、その限りにおいて具体的な剛接合の形式は任意であるが、可及的に溶接箇所数を減らしてボルト締結によることが有利である。
【００１８】
また、上記実施形態のように柱３や耐震間柱５、大梁４，６の素材としてはＨ形鋼を採用することが経済的にも施工的にも最も好ましいが、それに限るものでもなく、本発明では適宜の鉄骨材を採用することを妨げるものではない。
【００１９】
勿論、スパン方向のラーメン架構１および桁行方向の耐震架構２の具体的な形態も上記実施形態に限定されるものでは勿論なく、建物全体の形態や規模、特に平面形状や平面積、高さ、用途、要求される耐震性能、その他の諸条件を考慮して最適設計すれば良い。ラーメン架構１と耐震架構２以外の構造要素である床や屋根、外壁その他については任意であることは言うまでもないし、必要に応じてブレースや耐震壁等の耐震要素を要所に組み込むことも任意である。
【００２０】
さらに、ラーメン架構１と耐震架構２とによる１ブロックの架構７は現場にて組み立てることでも良いが、規模によってはそのような１ブロックの架構７を予めユニットとして組み立てておき、そのようなユニットどうしを現場にて連結することで全体の架構を構成することも考えられる。
【図面の簡単な説明】
【００２１】
【図１】本発明の構造の一実施形態を示すもので、（ａ）は架構全体を示す図、（ｂ）は１ブロックの架構を示す図である。
【図２】同、スパン方向のラーメン架構の一具体例を示す図である。
【図３】同、桁行方向の耐震架構の一具体例を示す図である。
【符号の説明】
【００２２】
１  ラーメン架構（スパン方向）
２  耐震架構（桁行方向）
３  柱
４  大梁（スパン方向）
４ａ  基部（ブラケット）
４ｂ  主部
５  耐震間柱
６  大梁（桁行方向）
６ａ  基部（ブラケット）
６ｂ  主部
７  １ブロックの架構
８  スプライスプレート
９  基礎
１０  アンカーボルト
１１  スチフナー
【図１】
2006046023.tif 000003
【図２】
2006046023.tif 000004
【図３】
2006046023.tif 000005